(57)【要約】【課題】構造が簡単で、部品点数を削減できるカード用コネクタを提供する。【解決手段】本発明のカード用コネクタは、複数の端子溝が形成される絶縁ハウジングと、前記絶縁ハウジングの端子溝にそれぞれ対応して装着される複数の導電端子と、前記絶縁ハウジングを覆う、主体部と、該主体部から延在するように形成され、回路基板に接続するための半田片と、を含む金属シールドと、を含み、カードがカード用コネクタに挿入された際に、前記導電端子の一部分は、前記金属シールドに接触して、前記半田片を通じて回路基板に接続されている。金属シールドに、検出端子と認識端子とにそれぞれ接続するための弾性片が形成され、これら弾性片は、金属シールドに形成された半田片を通じて、回路基板の対応した線路に接続されることによって、構造が簡単で部品点数を削減するという目的を実現している。【選択図】図３
2007294457.tif 000002
【特許請求の範囲】
【請求項１】
複数の端子溝が形成される絶縁ハウジングと、
前記絶縁ハウジングの端子溝にそれぞれ対応して装着される複数の導電端子と、
前記絶縁ハウジングを覆い、主体部と、該主体部から延在するように形成され、回路基板に接続するための半田片と、を含む金属シールドと
を含むカード用コネクタにおいて、
カードがカード用コネクタに挿入された際に、前記導電端子の一部分が前記金属シールドに接触して、前記半田片を通じて前記回路基板に接続されていることを特徴とするカード用コネクタ。
【請求項２】
前記複数の導電端子は、シグナル端子と、カードが絶縁ハウジングの装着位置に装着されたことを検出するための認識端子とを含み、カードがカード用コネクタに挿入された際に、前記認識端子が前記金属シールドに接触して、前記半田片を通じて前記回路基板に接続されていることを特徴とする、請求項１に記載のカード用コネクタ。
【請求項３】
前記複数の導電端子は、更にカードへの書き込み禁止を検出するための検出端子を含み、カードがカード用コネクタに挿入された際に、前記検出端子が前記金属シールドに接触して、前記半田片を通じて前記回路基板に接続されていることを特徴とする、請求項１又は２に記載のカード用コネクタ。
【請求項４】
前記金属シールドの前記主体部には、前記検出端子と前記認識端子とにそれぞれ接続するための弾性片が形成されていることを特徴とする、請求項３に記載のカード用コネクタ。
【請求項５】
前記カード用コネクタは、前記絶縁ハウジングに取付けたイジェクト機構をさらに備え、該イジェクト機構は、カードの挿入/排出方向に沿って移動できるスライドと、前記スライドに組付けられた弾性部材と、ガイド部材と、を含むことを特徴とする、請求項1に記載のカード用コネクタ。
【請求項６】
前記金属シールドの主体部には、前記イジェクト機構のスライドの移動を制限するための保持片が形成されることを特徴とする、請求項５に記載のカード用コネクタ。
【請求項７】
前記カード用コネクタは、前記絶縁ハウジングに取付けられたロック部材をさらに備え、前記ロック部材は、前記絶縁ハウジングに取付けるための固持部と、前記カードに係合するためのロック部を有する弾性アームと、を含むことを特徴とする、請求項1に記載のカード用コネクタ。
【発明の詳細な説明】
【技術分野】
【０００１】
本発明は、カード用コネクタに関し、特に構造が簡単であるカード用コネクタに関するものである。
【背景技術】
【０００２】
特許文献１に示すように、従来技術のカード用コネクタは、第１回路基板に実装され、カードを収容するための収容空間が形成された絶縁ハウジングと、中継部材と、スイッチ端子群と、を含む。前記中継部材は、前記絶縁ハウジングの下方に位置する第２回路基板と、該第２回路基板に装着され、前記第１回路基板に接続するための中継端子群とを含み、前記中継端子群は、第１中継端子と、第２中継端子と、第３中継端子とを含む。前記スイッチ端子群は、カードへの書き込み禁止を検出するライトプロテクト検出スイッチである第１スイッチと、接地ラインのための第２スイッチと、カードがハウジングの装着位置に装着されたことを検出するカード認識スイッチである第３スイッチと、を含む。スイッチ端子群は、第２回路基板を通じて前記中継端子群にそれぞれ対応するように接続されている。
【特許文献１】台湾実用新案公告第２８５８２８号明細書
【発明の開示】
【発明が解決しようとする課題】
【０００３】
ところが、従来のカード用コネクタには、部品点数が増大し、製造コストが高価になるといった問題がある。そこで、これらの欠点に鑑みて、新型のカード用コネクタを開発することが必要とされている。
【０００４】
本発明は、構造が簡単で、部品点数を削減できるカード用コネクタを提供することを目的とする。
【課題を解決するための手段】
【０００５】
前記目的を達成するために、本発明のカード用コネクタは、複数の端子溝が形成される絶縁ハウジングと、前記絶縁ハウジングの端子溝にそれぞれ対応して装着される複数の導電端子と、前記絶縁ハウジングに覆い、主体部と、該主体部から延在するように形成され、回路基板に接続するための半田片と、を含む金属シールドと、を含み、カードがカード用コネクタに挿入した際に、前記導電端子の一部分が前記金属シールドに接触して、前記半田片を通じて回路基板に接続している。
【発明の効果】
【０００６】
従来の技術に比べると、本発明には以下の長所がある。金属シールドに検出端子と認識端子にそれぞれ接続するための弾性片が形成され、金属シールドに形成された半田片を通じて、回路基板の対応した線路に接続して、従来技術の中継部材を省略し、これにより、構造が簡単で部品点数を削減するという目的が実現される。
【発明を実施するための最良の形態】
【０００７】
図１〜図６に基づいて、本発明のカード用コネクタ１００について説明する。本発明のカード用コネクタ１００は、カード７と回路基板（図示せず）とを接続するのに用いられ、絶縁ハウジング１と、絶縁ハウジング１に装着される複数の導電端子２と、絶縁ハウジングに取付けられるイジェクト機構３と、絶縁ハウジング１を覆う金属シールド４と、ロック部材５と、支持部材６と、を含む。
【０００８】
図１、図２、及び図４に示すように、絶縁ハウジング１は、複数の端子溝１０１が形成される基部１０と、該基部１０の両端から前後方向に沿ってそれぞれ延在するように形成される第１側壁１１及び第２側壁１２と、第１側壁１１と第２側壁１２とを連接するように形成される底板１３とを含む。前記第１側壁１１と、第２側壁１２と、基部１０と、底板とによって囲まれて、カード７を収容するための収容空間１５が形成される。前記基部１０には突出部１０３が下向きに延在するように形成され、前記第１側壁１１と第２側壁１２の外側には係合部１１２、１２２がそれぞれ形成されている。第２側壁１２の基部１０に隣接する部分の外側に凸部１２４が形成され、第２側壁１２の基部１０に隣接する端部とは反対側の端部の末端に、受入溝１２０を有する係止部（参照符号なし）が形成される。係止部の前記収容空間１５に向いた側には、前記第２側壁１２に平行に押圧部１２１が延在するように形成され、該押圧部１２１と第２側壁１２とには前記イジェクト機構３を収容するための収容空間（参照記号なし）が形成される。底板１３の押圧部１２１に隣接する箇所には、第２側壁１２に連通する受入空間１３０が形成され、前記凸部１２４は、受入空間１３０に装着されるロック部材５に係合できる。
【０００９】
前記複数の導電端子２は、絶縁ハウジング１の端子溝１０１に対応し装着され、カード７に接続するためのシグナル端子２１と、カード７への書き込み禁止を検出するための検出端子２２と、カード７が絶縁ハウジング１の装着位置に装着されたことを検出するための認識端子２３とを含む。前記シグナル端子２１は、保持部２１０と、保持部２１０から延在するように形成される弾性コンタクト２１１と、半田部２１２とを含む。前記検出端子２２と認識端子２３との構造はほぼ同じであり、保持部（参照記号なし）と、保持部から延在するように形成される弾性部２２０、２３０と、該弾性部２２０、２３０に連接するように形成される当接部２２１、２３１と、半田部２２３、２３２と、を含む。
【００１０】
図１と図２とを参照すると、金属シールド４は前記絶縁ハウジング１に取付けられ、主体部４０と、該主体部４０の両側縁と後縁からそれぞれ下向きに折曲がって延出するように形成される第１側部（参照記号なし）と第２側部４４と、半田片４５とを含む。前記第１側部は、側片４１、４２、４３を有し、前記側片４２、４３と第２側部４４には、係合孔４２０、４３０（第２側部４４に形成される係合孔が図示せず）が形成され、側片４３にカード７の挿入方向に沿って延出片４３１が延出するように形成される。主体部４０には、カードの挿入口（参照記号なし）に隣接する箇所に、カード７を下向きに押圧するための押圧片４０１が形成され、前記第１側部と押圧片４０１に隣接する箇所に、下向きに折曲がって延在するように保持片４０２が形成される。また、前記主体部４０には、前記認識端子２３と検出端子２２にそれぞれ当接するための弾性片４０３、４０４が形成される。前記第１側部と第２側部に形成される係合孔が絶縁ハウジング１の第１側壁１１と第２側壁１２に形成される係合部１１２、１２２に係合できることにより、金属シールド４が絶縁ハウジング１に取付けられる。
【００１１】
図２及び図４乃至図６を参照すると、前記イジェクト機構３は絶縁ハウジング１に取付けられ、略Ｌ字形状を呈するスライド３２と、ガイド部材３１と、スライド３２に部分に収容する弾性部材３３と、を含む。前記スライド３２は、推動部３２０と摺動部３２１とを有し、推動部３２０にはカード７の案内面（参照記号なし）に対応して、カード７の誤挿入を防止するための案内部３２０１と、案内部３２０１の末端に形成される接触部３２０２とが形成される。前記推動部３２０と摺動部３２１との間に、収容溝３２２が形成され、収容溝３２２の、摺動部３２１の中間に隣接する箇所には、弧形状の斜面３２３が設けられ、該斜面３２３により摺動部３２１の内側に前記収容溝３２２に連通する収容部３２４が形成される。
【００１２】
前記ロック部材５は、基部５０と、基部５０の一側から上向きに延在するように形成される固持部５２と、基部５０の他側から延在するように形成される垂直部（参照きごうなし）とを含み、固持部５２に錠止孔５３が設けられ、垂直部に前後方向に沿って弾性アーム５４が形成され、弾性アーム５４の先端にロック部５４１が形成される。固持部５２の錠止部５３が絶縁ハウジング１の凸部１２４に係合することによって、ロック部材５が絶縁ハウジング１に取付けられ、基部５０が前記底板１３に形成される受入空間１３０に収容され、弾性アーム５４のロック部５４１が前記収容空間１５に突出している。
【００１３】
前記支持部材６は、本体部６０と、本体部６０から延在するように形成される半田部６１及び係合体６２を有し、前記係合体６２には係止孔６２１が形成される。係止孔６２１が絶縁ハウジング１の係合部１１２、１２２に係合されることにより、該支持部材６がカードの挿入口に組付けられる。
【００１４】
イジェクト機構３が絶縁ハウジング１に取付けられた際に、前記摺動部３２１は、基部５０と弾性アーム５４と絶縁ハウジング１の第２側壁１２と押圧部１２１とからなる空間に収容される。弾性部材３３は、一端がスライド３２内に収容され、他端が絶縁ハウジング１の基部１０に形成される位置決め柱１０２に位置決めされる。ガイド部材３１は、一端が絶縁ハウジング１の受入溝１２０に保持され、他端がスライド３２の心臓状のレール３２５内にスライドできる。
【００１５】
カード７が前記絶縁ハウジング１の収容空間１５に完全に挿入された際に、ロック部材５のロック部５４１がカードの凹部７２に係合することによって、カード７がカード用コネクタ１００から外れることが防止でき、この時、ロック部材５の弾性アーム５４がイジェクト機構３の摺動部３２１の内側に当接している。カード７を排出する際に、カード７を収容空間１５へさらに挿入方向に沿って押圧すると、前記弾性部材３３の弾性力によりスライド３２が初期状態に回復し、この過程において、前記接触部３２０２によりロック部材５の弾性アーム５４が前記収容部３２４の方へ押圧され、これにより、ロック部材５のロック部５４１がカード７の凹部７２に係合する状態から解除され、さらに、カード７は収容空間１５から排出される。
【００１６】
組付けた際に、金属シールド４の保持片４０２が摺動部３２１の移動を制限することにより、スライド３２の移動を確保する。カード７が前記絶縁ハウジング１の収容空間１５内に挿入される際に、金属シールド４の弾性片４０３が認識端子２３の当接部２３１に接触することにより、前記半田片４５を通じて回路基板の認識線路に電気的な接続を達成でき、カード７が絶縁ハウジング１の装着位置に装着されたことを検出することを達成可能としている。検出端子２２の当接部２２１が金属シールド４の弾性片４０４に当接して、前記半田片４５を通じて回路基板の検出線路に電気的な接続を達成することにより、カード７への書き込み禁止を検出することを達成できる。
【００１７】
本発明のカード用コネクタ１００は、金属シールド４に前記検出端子２２と認識端子２３にそれぞれ接続するための弾性片４０３、４０４が形成されることによって、構造が簡単で部品点数を削減するという目的を実現している。
【００１８】
以上本発明について良好な実施の形態を参照して詳細に説明したが、実施形態はあくまでも例示的なものであり、これらに限定されるものではない。また前記の説明の、本発明に基づきなし得る細部の修正或は変更など、いずれも本発明の請求範囲に属するものとする。
【図面の簡単な説明】
【００１９】
【図１】本発明に係るカード用コネクタの組立斜視図である。
【図２】本発明に係るカード用コネクタの分解斜視図である。
【図３】本発明に係るカード用コネクタの部分の組立斜視図である。
【図４】本発明に係るカード用コネクタの絶縁ハウジングの斜視図である。
【図５】本発明に係るカード用コネクタの組立斜視図であり、カードがカード用コネクタに挿入した組立斜視図である。
【図６】本発明に係るカード用コネクタの斜視図であり、カードがカード用コネクタに挿入した際に、ロック部材とイジェクト機構との位置関係の組立斜視図である。
【符号の説明】
【００２０】
１００  カード用コネクタ
１  絶縁ハウジング
１０  基部
１０１  端子溝
１０２  位置決め柱
１０３  増高部
１１  第１側壁
１２  第２側壁
１１２、１２２  係合部
１２０  受入溝
１２１  押圧部
１２４  凸部
１３  底板
１３０  受入空間
２  導電端子
２１  シグナル端子
２１０  保持部
２１１  弾性コンタクト
２１２、２２３、２３２  半田部
２２  検出端子
２２０、２３０  弾性部
２２１、２３１  当接部
２３  認識端子
３  イジェクト機構
３１  ガイド部材
３２  スライド
３２０  推動部
３２０１  案内部
３２０２  接触部
３２１  摺動部
３２２  収容溝
３２３  斜面
３２４  収容部
３２５  レール
４  金属シールド
４０  主体部
４０１  押圧片
４０２  保持片
４０３、４０４  弾性片
４１、４２、４３  側片
４２０、４３０  係合孔
４３１  延出片
４４  第２側部
４５  半田片
５  ロック部
５０  基部
５２  固持部
５３  錠止部
５４  弾性アーム
５４１  ロック部
６  支持部材
６０  本体部
６１  半田部
６２  係合体
６２１  係合孔
７  カード
７２  凹部
【図１】
2007294457.tif 000003
【図２】
2007294457.tif 000004
【図３】
2007294457.tif 000005
【図４】
2007294457.tif 000006
【図５】
2007294457.tif 000007
【図６】
2007294457.tif 000008